(57)【要約】【課題】従来の着物（袴下着物）は、上前と下前が重なる前合わせ部分の生地の摩擦力により、下半身の可動性が悪く、丈が短いだけなので、袴を着用しない着物（袴下着物）単体での着用には適さない。本発明では、可動性と利便性に優れ、多様な着こなしが出来る新たな着物を提供することを課題とする。【解決手段】本発明の着物は、左右の前身頃とそれに連なる衽（おくみ）部分において、それぞれ斜めに褄部分を切り取った前合わせと、後身頃の背の中心線に沿って形成されたスリットにより構成された裾を特徴とし、さらに袖の袂部分が手先に向けて下向きに傾斜している。【選択図】図１
2018135607.tif 000002
【特許請求の範囲】
【請求項１】
着物の左右の前身頃とそれに連なる衽（おくみ）部分において、それぞれ衿先から脇付近の裾に向けて斜めに褄部分を切り取った形状であることを特徴とする着物。
【請求項２】
前記褄部分が斜めに切り取られた前合わせの裾の左右は、股下にあたる位置で交差している請求項1に記載の着物。
【請求項３】
前記着物の後身頃の背縫いに相当する部分（背の中心線）に沿って、裾から股下あたりまでのスリット（切れ込み）が形成されている請求項1〜２の何れかに記載の着物。
【請求項４】
前記着物の袖において、袖口、および袖付けの下方の袂が、手先に向けて下向きに傾斜している請求項１〜３の何れかに記載の着物。
【請求項５】
前記着物の両脇には、帯を締める位置の少し下に、ポケットが設けられている請求項１〜４の何れかに記載の着物。
【請求項６】
前記着物の衿部分は、着用時に上前となる着用者から見て左側にのみ、衿（地衿）と掛け衿（共衿）の間に装飾上の工夫が縫い込まれた請求項１〜５の何れかに記載の着物。
【発明の詳細な説明】
【技術分野】
【０００１】
本発明は、袴を装着する時に上半身に着る着物に関するものである。
【背景技術】
【０００２】
従来の着物の中で、特に上着の腰回りを袴の下に入れる着物（以下、これを袴下着物と言う）には、伸縮部や係止具を取り付けて、着用の容易化と着崩れ対策を施したものがある（例えば、特許文献1参照。）。
【先行技術文献】
【特許文献】
【０００３】
【特許文献１】特開２００１−３５５１０６号公報
【発明の概要】
【発明が解決しようとする課題】
【０００４】
従来のこの袴下着物では、伸縮部や係止具を取り付けることで着用上の利便性を図ったり、着崩れを防止したりしているが、どれも袴下着物自体の形状を変化させているものではない。
【０００５】
従来の袴下着物は、あくまで長着の着丈を膝丈程度に短くしたものであり、前身頃では上前と下前を重ねた前合わせとなる。前合わせ部分の生地の摩擦力により、丈を短くしても下半身、特に足の腿の部分の可動性が優れているとは言えない。
【０００６】
また、従来のものは、袴に合わせる袴下としての用途に限定されるので、袴を着用せずに単体で着用するには袴下着物は見映えが悪い。つまり 袴下限定のため、着こなしの多様性は無と言える。
【０００７】
本発明は、袴着用時には高い可動性を実現する袴下着物として、さらに袴を着用せずに単体でも着用可能な形状に装飾上の工夫をすることで、別の用途にも使える多様性の高い着物を提供することを課題とする。
【課題を解決するための手段】
【０００８】
本発明の着物は、左右の前身頃とそれに連なる衽（おくみ）部分において、それぞれ衿先から脇付近の裾に向けて斜めに褄部分を切り取った形状であることを特徴とする。
ここで、褄部分とは、衿先より下方の衽（おくみ）と前身頃の一部をなす部分である。
【０００９】
上記の衿先から脇付近の裾に向けて褄部分が斜めに切り取られた前合わせの裾の左右は、
股下にあたる位置で交差していることを特徴とする。
【００１０】
さらに、後身頃の背縫いに相当する部分（背の中心線）に沿って、裾から股下あたりまでのスリット（切れ込み）が形成されていることを特徴とする。
【００１１】
前記前合わせの裾線と後身頃のスリットにより、袴を装着した時に袴の内股下のマチと干渉しない形状となっている。
【００１２】
前記着物の袖部分において、袖口、および袖付けの下方の袂が、手先に向けて下向きに傾斜していることを特徴とする。
【００１３】
前記着物の両脇には、ポケットが、帯を締める位置の少し下に設けられていることを特徴とする。
【００１４】
前記着物の衿部分において、着用時に上前となる着用者から見て左側にのみ、衿（地衿）と掛け衿（共衿）の間に別素材等を挟んで縫い合わせ、装飾上の工夫を加えたことを特徴とする。
【発明の効果】
【００１５】
本発明の着物は、それぞれ衿先から脇付近の裾に向けて斜めに褄部分を切り取った形状であり、前合わせの裾の左右は、股下にあたる位置で交差しているため、その上から袴を着用した場合でも、前合わせ部分の生地の重なりによる摩擦力が軽減される。
【００１６】
さらに、後身頃の背縫いに相当する部分（背の中心線）に沿って、裾から股下あたりまでのスリット（切れ込み）が形成されており、上記前合わせの裾の形状と合わせて、袴を装着した時に袴の内股下のマチと干渉しない形状となっているので、袴下着物として使用する際の大腿部などの可動性は、従来のものに比べ格段に優れている。
【００１７】
本発明の着物は、前合わせ部分で左右の褄が切り取られ、後身頃で裾から股下あたりまでのスリット（切れ込み）が形成され、燕尾服のような装飾的な形状の裾なので、袴を装着せずに着物単体で着用することが可能になり、従来の袴下としての用途に限定されていた着物に比べ、着こなしの多様性が大幅に増すという利点がある。
【００１８】
本発明の着物は、袖部分において、袖口、および袖付けの下方の袂が、手先に向けて下向きに傾斜させていることで、腕を下ろしている時に脇に溜まる袖の生地によるもたつきが軽減されて、腕の可動性を高められ、袈裟懸けや肩掛けのバッグなども持ち易くなった。さらに見た目にもすっきりとした印象が増すことで、従来よりも着姿を美しくさせる効果がある。
【００１９】
本発明の着物にて、帯を締める位置の少し下の両脇に設けられたポケットは、袴の装着後も使用可能であり、袴自体にポケットを設けるのに比べ、袴の着姿も崩れないので、利便性が高い。
【００２０】
本発明の着物は、衿部分において、着用時に上前となる着用者から見て左側にのみ、衿（地衿）と掛け衿（共衿）の間に別素材等を挟んで縫い込み、装飾上の工夫を加えていることにより、それを目印とした上前が明確なので、着用上の規則で迷わない。
【図面の簡単な説明】
【００２１】
【図１】着物の構造を示した展開図である。
【図２】左前身頃を重ねず、右前身頃が見える状態を示した展開図である。
【発明を実施するための形態】
【００２２】
以下、本発明の実施の形態を図１、図２に基づいて説明する。
【００２３】
図１は、本発明の着物の構造を表したもので、図で示した通り、衿と身頃の上半身は通常の着物と同じ構造である。
【００２４】
本発明の着物の特異性の一つは裾部分にあり、左右の前身頃とそれに連なる衽（おくみ）部分において、それぞれ衿先から脇付近の裾に向けて斜めに褄部分（衿先より下方の衽と前身頃の一部）を切り取った形状が特徴である。
【００２５】
図１、および図２において、Aは前身頃を、Bは衽を表している。従来の着物では、衽の端（褄下）は衿先であるCより真下へと垂直で、前身頃と衽の水平な裾とは直角に交わっている。
【００２６】
本発明の着物では、衿先Cから脇付近の裾Dに向けて斜めに褄部分（衿先より下方の衽と前身頃の一部）を切り取った形状になっている。
【００２７】
そして、図１、および図２で示す通り、褄部分を衿先Cから裾Dに向け斜めに切り取ることで形成される、前合わせの裾の左右は、股下にあたる位置で交差している。つまり前合わせで重なる生地の面積が減るので、摩擦力が軽減されるので、下半身の可動性に優れている。
【００２８】
また、図１、および図２において、Ｅは後身頃を、Fは背縫いに相当する部分（背の中心線）を表している。本発明の着物では、後身頃の背縫いに相当する部分（背の中心線）に沿って、裾から股下あたりまでのスリット（切れ込み）が形成されている。このスリット（切れ込み）と前記前合わせの特徴を合わせた全体の裾の形状は、袴を装着した時に袴の内股下のマチと干渉しないので、下半身の可動性がより高まる。
【００２９】
さらに、本発明の着物は、前合わせ部分で左右の褄が切り取られ、後身頃で裾から股下あたりまでのスリット（切れ込み）が形成されることで、燕尾服のような装飾性の優れた裾の形状を持つので、袴を装着せずに着物単体で着用することが可能になり、着こなしの多様性が増すという利点がある。
【００３０】
図１、および図２において、Gは袖口を、Hは袖付けを、I（斜線部分）は袂を表している。本発明の着物は、袖部分において、袖口、および袖付けより下方の袂が、手先に向けて下向きに傾斜させている。これにより、腕を下ろした状態で脇に溜まる袖の生地によるもたつきが軽減されて、腕の可動性を高め、見た目にも着姿をすっきりとさせる効果がある。
【００３１】
図１、および図２において、両脇に破線で表記されているJは、身頃に内蔵されたポケットを表している。ポケットは、帯を締める位置の少し下の両脇に設けられ、袴の装着後も使用可能であり、袴自体にポケットを設けるのに比べ、袴の着姿も崩れないので意匠的にも優れ、利便性も高い。
【００３２】
図１、および図２において、上前側である着用者から見て左側の衿にある印Kは、衿（地衿）と掛け衿（共衿）の間に別素材等を挟んで縫い込んで、装飾上の工夫を加えた目印を表している。これにより、上前側が明確になるので、着用上の規則で迷わない。
【符号の説明】
【００３３】
A    前身頃
B    衽（おくみ）
C    衿先
D    脇付近の裾
E    後身頃
F    背縫いに相当する部分（背の中心線）
G    袖口
H    袖付け
I    袂
J    ポケット
K    上前側の衿（地衿）と掛け衿（共衿）の間に縫い込まれた目印
【図１】
2018135607.tif 000003
【図２】
2018135607.tif 000004